(57)【要約】【課題】ドレンポンプの不定期かつ間歇的な騒音の発生による不快感を軽減した空気調和機を提供することとする。【解決手段】本空気調和機は、室内側熱交換器と、室内ファンと、室内側熱交換器に発生するドレン水を貯留するドレン水貯留部と、ドレン水貯留部に貯留されたドレン水を排水するためのドレンポンプ１０とを有する。また、この空気調和機は、空調運転状態よりドレン水発生量を算出するドレン水発生量算出部３１と、ドレン水発生量が多くなった場合にドレンポンプ１０のモータ回転数を高くし、ドレン水発生量が少なくなった場合にドレンポンプ１０のモータ回転数を低くするように制御するドレンポンプ制御部３２とを有する。【選択図】図３
2014092350.tif 000002
【特許請求の範囲】
【請求項１】
室内側熱交換器（５）と、
室内側熱交換器（５）に送風する室内ファン（４）と、
空調運転中に前記室内側熱交換器（５）に発生するドレン水を貯留するドレン水貯留部（７）と、
ドレン水貯留部（７）に貯留されたドレン水を排水するためのドレンポンプ（１０）と、
空調運転状態から推定されるドレン水発生量を算出するドレン水発生量算出部（３１）と、
前記ドレン水発生量（Ｗ）が多くなった場合にドレンポンプ（１０）のモータ回転数を高くし、前記ドレン水発生量（Ｗ）が少なくなった場合にドレンポンプ（１０）のモータ回転数を低くするように制御するドレンポンプ制御部（３２）とを
有することを特徴とする空気調和機。
【請求項２】
請求項１記載の空気調和機において、
前記ドレンポンプ制御部（３２）は、前記ドレン水発生量（Ｗ）の算出値の変化に対しドレンポンプ（１０）のモータ回転数を無段階に可変制御する
ことを特徴とする空気調和機。
【請求項３】
請求項１又は２記載の空気調和機において、
前記ドレンポンプ（１０）のモータは直流モータ（１３）である
ことを特徴とする空気調和機。
【請求項４】
請求項１〜３のいずれか１項に記載の空気調和機において、
前記ドレン水貯留部（７）にはドレン水の上限水位（Ｈ）を検出する水位センサ（２０）が設けられ、
前記ドレンポンプ制御部（３２）は、前記水位センサ（２０）が上限水位（Ｈ）に到達したことを検出したときに、異常と判断して空調運転停止指令を発信する
ことを特徴とする空気調和機。
【請求項５】
請求項１〜３のいずれか１項に記載の空気調和機において、
前記ドレン水貯留部（７）にはドレン水の下限水位（Ｌ）を検出する水位センサ（２０）が設けられ、
前記ドレンポンプ制御部（３２）は、前記水位センサ（２０）が下限水位（Ｌ）未満の水位を検出したときに、前記ドレンポンプ（１０）の運転を停止するように制御する
ことを特徴とする空気調和機。
【発明の詳細な説明】
【技術分野】
【０００１】
本発明は、空気調和機に係り、特に、ドレン水を排水するためのドレンポンプを搭載した空気調和機に関する。
【背景技術】
【０００２】
従来、一部の空気調和機、例えば、天井埋込型、天井吊型などの高所設置型の空気調和機は、冷房又は除湿運転中に発生したドレン水をドレンポンプで汲み上げて排水している。また、このようなドレンポンプを搭載した空気調和機では、特許文献１に記載のように、一般にドレンポンプを一定の回転数で運転している。また、このような空気調和機では、ドレン水貯留部の水位が一定レベル以上になったときにドレンポンプを運転し、ドレン水貯留部の水位が一定レベル以下になったときにドレンポンプを停止していた。なお、ドレン水貯留部の水位が一定レベル以下でドレンポンプを運転した場合、ドレンポンプは空気を噛み込む所謂空運転を行うことになり、ドレンポンプの騒音が大きくなったりドレンポンプ損傷の原因が発生したりするため、ドレンポンプは停止されていた。
【先行技術文献】
【特許文献】
【０００３】
【特許文献１】特開平０５−１４１６８６号公報
【発明の概要】
【発明が解決しようとする課題】
【０００４】
ところで、従来のようにドレンポンプを発停させる方法の場合、ドレンポンプ停止期間中はドレンポンプによる騒音の発生はないが、冷房運転又は除湿運転中に唐突的にドレンポンプの運転音が発生したり、停止したりすることになる。このようにドレンポンプの運転音が不定期にかつ間歇的に生じると、運転音自体はあまり大きな音でなくても図書館、寝室などの静かな場所では耳障りな騒音が発生することとなり、居住者に不快感を与えていた。なお、ドレンポンプを連続的に運転しているときの運転音は、一般的にそれほど大きなものではなく、ドレンポンプの発停に伴う変化音と比較するとそれほど意識されるほどのものではなかった。
【０００５】
本発明は、このような問題点を解消するためになされたものであって、ドレンポンプの不定期かつ間歇的な騒音の発生による不快感を軽減した空気調和機を提供することを目的とする。
【課題を解決するための手段】
【０００６】
請求項１記載の発明に係る空気調和機は、室内側熱交換器と、室内側熱交換器に送風する室内ファンと、空調運転中に前記室内側熱交換器に発生するドレン水を貯留するドレン水貯留部と、ドレン水貯留部に貯留されたドレン水を排水するためのドレンポンプと、空調運転状態から推定されるドレン水発生量を算出するドレン水発生量算出部と、前記ドレン水発生量が多くなった場合にドレンポンプのモータ回転数を高くし、前記ドレン水発生量が少なくなった場合にドレンポンプのモータ回転数を低くするように制御するドレンポンプ制御部とを有することを特徴とする。
【０００７】
このような構成によれば、ドレンポンプ制御部は、ドレン水発生量算出部において算出されたドレン水発生量が多い場合にドレンポンプ回転数を高くし、前記ドレン水発生量が少ない場合にドレンポンプ回転数を低くするように制御する。これにより、ドレン水貯留部における水位変化を従来より小さくし、ドレンポンプを長期間連続的に運転させることができる。この結果、ドレンポンプの空気を噛み込む空運転防止のためのドレンポンプの停止頻度を軽減することができ、不定期かつ間欠的なドレンポンプの運転音の発生を抑制することができる。
【０００８】
請求項２記載の発明は、請求項１記載の空気調和機において、前記ドレンポンプ制御部は、前記ドレン水発生量の算出値の変化に対しドレンポンプのモータ回転数を無段階に可変制御することを特徴とする。
【０００９】
このような構成によれば、ドレン水発生量の算出値の変化に対しドレンポンプのモータ回転数を無段階に可変制御することにより、ドレンポンプのドレン水排水能力をドレン水発生量に対しきめ細かく追随して可変制御することができ、ドレン水貯留部における水位変化をより小さくすることができる。したがって、ドレンポンプをより長期間連続的に運転させることができる。
【００１０】
請求項３記載の発明は、請求項１又は２記載の空気調和機において、前記ドレンポンプのモータは直流モータであることを特徴とする。
このような構成によれば、簡略な入力電圧制御或いはインバータ制御により無段階にドレンポンプのモータ回転数を可変制御することができ、これによりドレンポンプ回転数を無段階に可変制御することができる。
【００１１】
請求項４記載の発明は、請求項１〜３のいずれか１項に記載の空気調和機において、前記ドレン水貯留部にはドレン水の上限水位を検出する水位センサが設けられ、前記ドレンポンプ制御部は、前記水位センサが上限水位に到達したことを検出したときに、異常と判断して空調運転停止指令を発信することを特徴とする。
【００１２】
このような構成によれば、万一ドレンポンプやドレン水排水系統の異常により、ドレン水貯留部の水位が上限水位に到達したことを検出したときに、空気調和機の運転を停止するため、ドレン水貯留部におけるオーバーフローを防止することができる。
【００１３】
請求項５記載の発明は、請求項１〜３のいずれか１項に記載の空気調和機において、前記ドレン水貯留部にはドレン水の下限水位を検出する水位センサが設けられ、前記ドレンポンプ制御部は、前記水位センサが下限水位未満の水位を検出したときに、前記ドレンポンプの運転を停止するように制御することを特徴とする。
【００１４】
このような構成によれば、ドレンポンプの空運転を防止することができる。なお、本発明の場合は、前述のようにドレン水の発生量に応じてドレンポンプ回転数を可変制御しているので、従来のものに比しドレンポンプの発停頻度が少なくなる。
【発明の効果】
【００１５】
本発明によれば、ドレン水発生量を予測してドレンポンプ回転数を増減するため、ドレンポンプの発停頻度を少なくして安定的に運転させることができる。これにより、ドレンポンプの空運転を防止するとともに、ドレンポンプの発停に伴う騒音を軽減することができる。
【図面の簡単な説明】
【００１６】
【図１】本発明の実施の形態に係る天井埋込型空気調和機の概略構成図である。
【図２】同空気調和機におけるドレン水貯留部の模式図である。
【図３】同空気調和機におけるドレンポンプの制御に関する機能ブロック図である。
【図４】同空気調和機におけるドレン水発生量の算出方法を説明するための空気線図である。
【図５】同ドレンポンプ制御におけるドレン水発生量とドレンポンプ回転数との関係図である。
【図６】同空気調和機におけるドレンポンプの制御フローチャートである。
【発明を実施するための形態】
【００１７】
以下図面を参照しながら、実施の形態に係る空気調和機について説明する。
この空気調和機は、高所設置型の空気調和機の一つであって、セパレート型空気調和機における天井埋込型の室内ユニットである。図１に示すように、この室内ユニットは、内部に各種装置を収納する本体１と、本体１の下部に配置される化粧パネル２とを備えている。本体１は、空調室の天井材３の上方天井裏に取り付けられている。化粧パネル２は、天井材３の開口部３ａに嵌めこまれて、天井の空調室内側に密着して取り付けられている。この化粧パネル２の中央部には、空調室内の空気を吸入する吸入口２ａが形成され、この吸入口２ａを取り囲む周辺４辺部に、冷却又は除湿された空気を吹き出す吹出口２ｂが形成されている。
【００１８】
本体１内には、化粧パネル２の中央部に設けられた吸入口２ａを通じて空調室内の空気を本体１内に吸入して外周方向に吹き出す室内ファン４と、室内ファン４の外周を取り囲むように配置された室内側熱交換器５とが収納されている。室内ファン４は、使用者の好みにより強弱切り換えて使用できるように構成されている。また、室内側熱交換器５の下方には、冷房又は除湿の空調運転中に室内側熱交換器５に発生するドレン水の滴下を受け止めるドレンパン６が配置されている。なお、本明細書において単に空調運転というときは、冷房又は除湿運転を行う運転を意味するものとする。
【００１９】
そして、ドレンパン６の一部にはドレン水を貯留するドレン水貯留部７が形成され、ドレン水貯留部７にはドレン水を排水するためのドレンポンプ１０が取り付けられている。なお、図１において、室内側熱交換器５が左右に記載されているが、これらは平面的に見ると一体に繋がっている。また、ドレンパン６もこの図１においては左右に分離されているように見えるが、これらは平面的には一体に接続されている。
【００２０】
ドレンポンプ１０は、モータ駆動（電動機駆動）の遠心ポンプであって、図２に概略示されているように、回転羽根１１を内部に収納した本体ハウジング１２と、回転羽根１１を駆動する直流モータ１３と、本体ハウジング１２の下部に形成された吸込口１４と、汲み上げたドレン水を吐出する吐出口１５とを備えている。このような構成のドレンポンプ１０は、回転羽根１１を回転することによって生じる遠心力で吸込口１４からドレン水を吸い上げ、吐出口１５からドレン水を吐出する。また、ドレンポンプ１０の吐出口１５には、機外に導出されるドレン配管１６が接続されている。ドレン配管１６は、ドレンポンプ１０停止時にドレン配管１６からドレン水が逆流するのを抑制するために立ち上げて配設されている。
【００２１】
ドレン水貯留部７には、図２に示すように、水位センサ２０が設置されている。水位センサ２０は、ドレン水の水位の変化に応じて上昇又は下降するフロート２１と、フロート２１を支持する支持筒２２とを備えている。水位センサ２０は、ドレン水貯留部７の下限水位Ｌで作用する低位スイッチ２３と、ドレン水貯留部７の上限水位Ｈで作用する高位スイッチ２４とを備えている。
【００２２】
水位センサ２０の低位スイッチ２３は、ドレン水貯留部７の水面が低下してドレンポンプ１０が空気を噛み込むのを防止するためのものであって、ドレン水貯留部７の水位が下限水位Ｌ以上となったときにドレンポンプ１０を運転し、この下限水位Ｌ未満になったときにドレンポンプ１０を停止する。水位センサ２０の高位スイッチ２４は、ドレンポンプ１０の運転異常やドレン配管１６のごみ詰まり等によりドレン水の排水に異常が生じた場合に、ドレン水がドレン水貯留部７よりオーバーフローするのを防止するためのものであって、ドレン水貯留部７の水位が上限水位Ｈに到達した場合に、これを異常状態として検出する。なお、水位センサ２０の高位スイッチ２４が作用した場合には、この空気調和機の運転を停止させている。
【００２３】
次にこのようなドレンポンプ１０の制御系について、図３〜図５に基づき説明する。
先ず、ドレンポンプ１０の制御系の構成について、図３に基づき説明する。ドレンポンプ１０の制御系は、ドレンポンプ１０と、水位センサ２０と、ドレン水の発生量を算出するドレン水発生量算出部３１と、算出されたドレン水発生量によりドレンポンプ回転数Ｒｐを制御するドレンポンプ制御部３２などから構成されている。
【００２４】
ドレン水発生量算出部３１は、ＣＰＵ（Central Processing Unit）、一次記憶に用いられるＲＡＭ（Random Access Memory）、マスクＲＯＭ（Read Only Memory）やフラッシュメモリ等の不揮発メモリなどを備えている。不揮発メモリにはドレン水算出のために必要な基礎データや算出に必要な処理プログラムが記憶されている。基礎データとしては、例えば、蒸発温度、凝縮温度、圧縮機回転数Ｒｃ、及び室内ファン回転数Ｒｆを変数とした場合の冷凍能力Ｓ（ＫＪ／ｈ）を示す空気調和機の能力特性、室内ファン回転数Ｒｆを変数とした場合の室内ファン４の風量Ｖ（（ｍ３／ｈ）を示す室内ファン４の風量特性が含まれる。また基礎データとして、室内側熱交換器５のバイパスファクタＢＦ及びコンタクトファクタＣＦ、並びに湿り空気線図に関する必要な基礎データなども含まれる。また、ドレン水発生量算出部３１は、空調運転のために備えられたセンサにより検出されるセンサ情報、及び、圧縮機制御部、室内ファン制御部、膨張弁制御部などの運転制御装置から得られた運転情報をこれらを処理プログラムに当てはめてドレン水発生量を算出する。
【００２５】
前記センサとしては、図３に示すように、通常の冷房運転及び除湿運転のために設置されるものだけを利用するように考慮されており、室内空気温度センサ３３、室内側熱交換器温度センサ３４、室外空気温度センサ３５、室外側熱交換器温度センサ３６が備えられている。また、図３に示すように、室内ファン回転数Ｒｆ（ｒｐｍ）、圧縮機回転数Ｒｃ（ｒｐｍ）、室内側熱交換器出口冷媒の設定過熱度Ｔｅｃ（℃）、室外側熱交換器出口冷媒の設定過冷却度Ｔｃｃ（℃）などが圧縮機、電動膨張弁、室内ファン４などを制御する運転制御装置からドレン水発生量算出部３１へ送信されている。これらは、ドレン水算出に必要な運転状態を把握するための運転状態値である。
【００２６】
ドレン水発生量Ｗ（ｋｇ／ｈ）は、基本的には、次式により算出される。なお、以下の説明において、空気線図上の状態値を示す記号は、図４の空気線図に記載されている。
Ｗ＝Ｇ（Ｘａ−Ｘｂ）…（式１）
Ｇ＝Ｑ／Ｖａ…（式２）
ここで、Ｇ；空気循環量（ｋｇ／ｈ）、Ｑ；室内ファン４の風量（ｍ３／ｈ）、Ｖａ；室内側熱交換器５の入口空気の比体積（ｍ３／ｋｇ）、Ｘａ；室内側熱交換器５の入口空気の絶対湿度（ｋｇ／ｋｇ）、Ｘｂ；室内側熱交換器５の出口空気の絶対湿度（ｋｇ／ｋｇ）である。
【００２７】
したがって、空気循環量Ｇは、室内ファン回転数Ｒｆのデータと室内ファン４の風量特性から室内ファン４の風量Ｑを読み出すことにより、上記式２により算出される。
ところで、室内側熱交換器５の入口空気の湿球温度（℃）と、室内側熱交換器５の出口空気の乾球温度（℃）及び湿球温度（℃）とが測定されていない。このため、室内側熱交換器５の入口空気の状態点Ａ及び室内側熱交換器５の出口空気の状態点Ｂを定めることができず、室内側熱交換器５の入口空気の絶対湿度Ｘａ及び室内側熱交換器５の出口空気の絶対湿度Ｘｂを直接的に求めることができない。そこでこれらを次のようにして求める。
【００２８】
先ず、室内側熱交換器温度センサ３４により検出される室内側熱交換器温度Ｔｅ（℃）から状態点Ｅを求める。状態点Ｅは、室内側熱交換器温度Ｔｅと同一乾球温度の飽和空気の状態点であるので、図４に示すように直接的に求めることができる。したがって、状態点ＥにおけるエンタルピーＩｅ（ＫＪ／ｋｇ）を求めることができる。
【００２９】
次に、下記の式３により室内側熱交換器５の入口空気の状態点Ａを求めるために、室内側熱交換器５の入口空気のエンタルピーＩａ（ＫＪ／ｋｇ）を求める。
Ｉａ＝Ｉｅ＋（Ｉａ−Ｉｂ）／ＣＦ＝Ｉｅ＋Ｓ／Ｇ・ＣＦ…（式３）
この式３において、Ｉｂは室内側熱交換器５の出口空気の状態点Ｂにおけるエンタルピー（ＫＪ／ｋｇ）であり、Ｓはこの空気調和機の冷凍能力（ＫＪ／ｋｇ）である。
【００３０】
ここで、空気調和機の冷凍能力Ｓは次のようにして求める。
室内側熱交換器温度センサ３４により測定された室内側熱交換器温度Ｔｅを蒸発温度とし、及び室外側熱交換器温度センサ３６により測定された室外側熱交換器温度Ｔｃ（℃）を凝縮温度とする。そして、この蒸発温度、凝縮温度及び圧縮機回転数Ｒｃ及び室内ファン回転数Ｒｆから空気調和機の能力特性を参照して冷凍能力Ｓを算出する。
【００３１】
このようにして式３により室内側熱交換器５の入口空気の状態点ＡのエンタルピーＩａを求めることができると、室内側熱交換器５の入口空気の状態点Ａの乾球温度Ｔａ（℃）が室内空気温度センサ３３により測定されているので、これら数値から状態点Ａを求めることができる。また、室内側熱交換器５の入口空気の絶対湿度Ｘａを求めることができる。
【００３２】
また、下記の式４により室内側熱交換器５の出口空気の状態点Ｂを求めるために、室内側熱交換器５の出口空気のエンタルピーＩｂを求める。
Ｉｂ＝Ｉｅ＋（Ｉａ−Ｉｂ）ＣＦ／ＢＦ＝Ｉｅ＋Ｓ・ＣＦ／Ｇ・ＢＦ…（式４）
この式からエンタルピーＩｂが求められると次のようにして状態点Ｂを求めることができる。すなわち、室内側熱交換器５の入口空気の状態点Ａと室内側熱交換器温度Ｔｅと同一乾球温度の飽和空気の状態点Ｅとを結ぶ線と、前述の式４により求められたエンタルピーＩｂの線との交点が室内側熱交換器５の出口空気の状態点Ｂとなる。したがって、このような算出方法により求められた状態点Ｂの絶対湿度Ｘｂを室内側熱交換器５の出口空気の絶対湿度として算出することができる。
【００３３】
上記のようにすれば、入口空気の乾球温度Ｔａ（℃）、室内側熱交換器温度Ｔｅ（℃）、室外側熱交換器温度Ｔｃ（℃）、圧縮機回転数Ｒｃ（ｒｐｍ）及び室内ファン回転数Ｒｆ（ｒｐｍ）を変数情報としたドレン水発生量Ｗ（ｋｇ／ｈ）のテーブルを作成することができる。本実施の形態においては、ドレン水発生量算出部３１は、このようにして算出されたテーブルを保管しており、前記変数情報を受信することによりその時々のドレン水発生量Ｗ（ｋｇ／ｈ）を算出する。
【００３４】
次に、ドレンポンプ制御部３２について説明する。ドレンポンプ制御部３２は、１又は複数の集積回路からなるものであって、マスクＲＯＭやフラッシュメモリ等の不揮発メモリ等を備えている。不揮発メモリには、図５に示すようなドレン水発生量Ｗ（ｋｇ／ｈ）に対する適正なドレンポンプ回転数Ｒｐ（ｒｐｍ）を示すデータ等が記憶されている。また、ドレンポンプ制御部３２は、ドレンポンプ１０のモータ駆動回路を備えており、ドレン水発生量算出部３１により算出された算出値に対し、ドレンポンプ回転数Ｒｐが図５に示す関係となるようにドレンポンプ１０のモータを可変制御する。
【００３５】
次に、本空気調和機の作用として、図６の制御フローチャートに基づきドレンポンプ１０の可変制御について説明する。
本実施の形態に係る空気調和機において、操作部（不図示）に設けられている運転スイッチ（不図示）が投入されて冷房又は除湿の空調運転が開始された場合、一定時間経過してから動作が開始される（ステップＳ１）。最初の動作は、一定時間毎にドレン水発生量Ｗを予測するためにタイマがスタートされる（ステップＳ２）。次いで、ドレン水貯留部７の水位が下限水位Ｌ以上か判断される（ステップＳ３）。ここで、ドレン水貯留部７の水位が下限水位Ｌ以上の場合（ステップＳ３でＹＥＳの場合）は、ドレン水発生量算出部３１がそのときの運転状態における前記変数情報を読み込んでドレン水発生量Ｗを算出する（ステップＳ４）。
【００３６】
読み込まれる変数情報のうちのセンサ情報は、室内側熱交換器５の入口空気の乾球温度（即ち、室内空気の乾球温度）Ｔａ、室内側熱交換器温度（＝蒸発温度）Ｔｅ、室外側熱交換器温度（＝凝縮温度）Ｔｃである。また、室内ファン制御部、圧縮機制御部、膨張弁制御部などの運転制御部からは室内ファン回転数Ｒｆ、圧縮機回転数Ｒｃなどの変数情報とともに、室内側熱交換器５の出口側冷媒の設定過熱度Ｔｅｃ、室外側熱交換器の出口側冷媒の設定過冷却度Ｔｃｃが送信される。
【００３７】
上記のようにして、ドレン水発生量算出部３１において算出されたドレン水発生量Ｗは、ドレンポンプ制御部３２に送信される。ドレンポンプ制御部３２は、ドレン水発生量算出部３１において算出されたドレン水発生量Ｗに対し、図５のグラフに示されるドレンポンプ回転数Ｒｐとなるようにドレンポンプ１０のモータを可変制御する（ステップＳ５）。
【００３８】
なお、ステップＳ３においてドレン水貯留部７の水位が下限水位Ｌ未満の場合（ステップＳ３でＮＯの場合）は、ドレンポンプ１０は空運転防止のために運転停止状態に保持される（ステップＳ９）。
【００３９】
そして、運転スイッチが投入されている状態（ステップＳ６でＹＥＳの状態）で所定時間が経過し、タイマがカウント終了した場合（ステップＳ７でＹＥＳの場合）は、タイマがリセットされ（ステップＳ８）、ステップＳ２に戻る。なお、ステップＳ７においてタイマのカウントが終了していない場合は、ステップ６に戻る。
【００４０】
このようにして一定時間（例えば、２〜３分）経過毎にステップＳ２に戻り、ドレン水貯留部７における水位が下限水位Ｌとなっていないか確認されるとともに（ステップＳ３）、ドレン水発生量Ｗが算出される（ステップＳ４）。そして、ドレン水発生量Ｗに対応するドレンポンプ回転数Ｒｐとなるようにドレンポンプ１０のモータが可変制御される（ステップＳ５）。
【００４１】
また、ステップＳ６において運転スイッチがＯＮでない場合（ステップＳ６でＮＯの場合）、すなわち、空気調和機の運転が停止された場合には、ドレンポンプ１０の運転が停止される（ステップＳ１０）。ステップＳ６において運転スイッチがＯＮでない場合とは、例えば、運転開始直後に運転スイッチが切られた場合とか、運転開始からある時間が経過した後に空調運転が不要になり運転が停止されたような場合である。
【００４２】
なお、空調運転中においてドレン水貯留部７の水位が上限水位Ｈに到達した場合は、ドレン水配管系統やドレンポンプ１０に異常が発生した場合となるので、ドレン水貯留部７におけるオーバーフローを防止するために、ドレンポンプ制御部３２は上記のドレンポンプ１０の制御とは関係なく空調運転停止指令を発信する。
【００４３】
本実施の形態に係る空気調和機は、以上のように構成されているので、次のような効果を奏することができる。
（１）ドレンポンプ制御部３２は、ドレン水発生量算出部３１において算出されたドレン水発生量Ｗが多い場合にドレンポンプ回転数Ｒｐを高くし、ドレン水発生量Ｗが少ない場合にドレンポンプ回転数Ｒｐを低くするように制御する。これにより、ドレン水貯留部７における水位変化が従来より小さくなり、ドレンポンプ１０を長期間連続的に運転させることができる。この結果、ドレンポンプ１０の空気を噛み込む所謂空運転防止のためのドレンポンプ１０の停止頻度を軽減することができ、不定期かつ間欠的なドレンポンプ１０の運転音の発生を抑制することができる。
【００４４】
（２）ドレンポンプ制御部３２は、ドレン水発生量Ｗの算出値の変化に対しドレンポンプ回転数Ｒｐを無段階に可変制御している。このため、ドレンポンプ１０のドレン水排水能力をドレン水発生量Ｗに対しきめ細かく追随して制御することができ、ドレン水貯留部７における水位変化をより小さくすることができる。したがって、ドレンポンプ１０をより長期間連続的に運転させることができる。
【００４５】
（３）ドレンポンプ１０は直流モータ１３により駆動されているので、簡略な入力電圧制御或いはインバータ制御によりドレンポンプ１０のモータ回転数を無段階に可変制御することができ、これによりドレンポンプ回転数Ｒｐを無段階に可変制御することができる。
【００４６】
（４）ドレン水貯留部７にはドレン水の上限水位Ｈを検出する水位センサ２０が設けられている。これにより、ドレンポンプ１０やドレン水排水系統の異常により、ドレン水貯留部７の水位が上限水位Ｈに到達したことを検出したときには、ドレンポンプ制御部３２は、これを異常と判断して空調運転停止指令を発信するので、ドレン水貯留部７におけるオーバーフローを防止することができる。
【００４７】
（５）ドレン水貯留部７にはドレン水の下限水位Ｌを検出する水位センサ２０が設けられている。これにより、水位センサ２０が下限水位未満の水位を検出したときに、ドレンポンプ制御部３２はドレンポンプ１０の運転を停止するように制御するので、ドレンポンプ１０の空運転を防止することができる。
【００４８】
（変形例）
本空気調和機は、上記各実施形態に限定されることなく、以下の変更も可能である。この場合、以下の変形例は、対象となった実施形態についてのみ適用されるものでなく、他の実施の形態又は他の変形例と適宜組み合わせて実施することもできる。
【００４９】
・前記実施の形態において、通常の空調運転に使用されるセンサ以外に室内側熱交換器５の入口空気の湿球温度センサ、室内側熱交換器５の出口空気の乾球温度センサ、及び室内側熱交換器５の出口空気の湿球温度センサを設けるようにしてもよい。このようにすれば、センサにより検出された室内側熱交換器５の入口空気の絶対湿度Ｘａ及び出口空気の絶対湿度Ｘｂを空気線図上から直接的に求めることができる。このため、ドレン水発生量Ｗの算出値もより正確になる。
【００５０】
・前記実施の形態において、ドレン水貯留部７とドレンパン６との深さを特には異ならせていないが、ドレンパン６の一般部分の深さに対しドレン水貯留部７を深くしてもよい。このようにすれば、ドレン水貯留部７の下限水位Ｌと上限水位Ｈとの差を大きくすることができるので、よりドレンポンプの運転期間の長期化を図ることができる。
【００５１】
・前記実施の形態における空気調和機は、天井埋込型空気調和機を一例として掲げているが、空気調和機としては特にこの形式に限定されるものではない。ドレンポンプを使用してドレン水を排水するものであればよい。
【００５２】
・前記実施の形態においては、一つの水位センサ２０がドレン水貯留部７の下限水位Ｌと上限水位Ｈとを検出するようにしているが、別の水位センサによりこれら水位を個別に検出するようにしてもよい。
【００５３】
・前記実施の形態において、水位センサ２０が上限水位Ｈに到達したことを検出したときに空調運転を停止しているが、この動作と同時にこれを報知する報知装置を設けてもよい。報知装置としては、警報ランプ、警報音声発生器など用いることができる。
【００５４】
・前記実施の形態において、水位センサ２０が下限水位Ｌ未満の水位を検出したときにドレンポンプ１０の運転を停止又は停止状態を継続するようにしているが、ドレンポンプ１０の運転停止と同時にドレンポンプ１０の運転状態を報知する表示ランプ等の報知装置を設けてもよい。
【００５５】
・前記実施の形態において、水位センサ２０は、ドレン水貯留部７の下限水位Ｌで作用する低位スイッチ２３と、ドレン水貯留部７の上限水位Ｈで作用する高位スイッチ２４とを備えているが、この両スイッチのうちの一方のみを備えたものとしてもよい。例えば、高位スイッチ２４のみを備えたものとしてもよい。
【符号の説明】
【００５６】
Ｈ…上限水位、Ｌ…下限水位、Ｗ…ドレン水発生量、Ｒｐ…ドレンポンプ回転数、４…室内ファン、５…室内側熱交換器、７…ドレン水貯留部、１０…ドレンポンプ、１３…直流モータ、２０…水位センサ、３１…ドレン水発生量算出部、３２…ドレンポンプ制御部。
【図１】
2014092350.tif 000003
【図２】
2014092350.tif 000004
【図３】
2014092350.tif 000005
【図４】
2014092350.tif 000006
【図５】
2014092350.tif 000007
【図６】
2014092350.tif 000008